(57)【特許請求の範囲】
【請求項１】
上方付勢状態で押し込み可能にステムを起立した吐出器に装着されるとともに、内部に前記ステム内に連通するノズル孔を有する押下ヘッドと、該押下ヘッドに着脱自在に取り付けられるカバーとを備える押下ヘッド付き吐出器であって、
前記押下ヘッドは、前記ステムに装着される装着部を垂設する頂壁部と、
前記頂壁部の外周縁部から下方に向けて延設されるとともに前記ノズル孔の一端を開口して噴出口を形成する周壁部と、
前記頂壁部の外周縁部に沿って部分的に配置され、該外周縁部から上方に向けて一体に延設されたへら状の塗布具と、を備え、
前記カバーは、前記塗布具の上方及び側方を覆う上壁部及び側壁部と、
該側壁部の内面に設けられ、カバー装着時にて前記噴出口に対向して位置して該噴出口を密封する凸部と、
該側壁部の下端部内面に設けられ、カバー装着時にて前記押下ヘッドの下端縁に当接して前記吐出器に対する該押下ヘッドの押し下げを阻止する突起と、を備えることを特徴とする押下ヘッド付き吐出器。
【請求項２】
前記塗布具は、前記噴出口が配置された側である押下ヘッドの前方側に配置される、請求項１に記載の押下ヘッド付き吐出器。
【請求項３】
前記塗布具は、その外周面に突起を有する、請求項１又は２に記載の押下ヘッド付き吐出器。
【請求項４】
前記頂壁部の外面と、前記塗布具の内周面は、下方に凹の曲面にて連結される、請求項１〜３の何れか一項に記載の押下ヘッド付き吐出器。
【発明の詳細な説明】
【技術分野】
【０００１】
この発明は、上方付勢状態で押込み可能にステムを起立した吐出器に装着する押下ヘッドを備える押下ヘッド付き吐出器に関するものである。
【背景技術】
【０００２】
容器内に収容された例えば化粧品や育毛剤、整髪料、医薬品等の液状物を吐出する吐出器としては、ピストン及びシリンダを有するポンプ式の吐出器やいわゆるエアゾール式の吐出器が知られており、これらの吐出器のステムには、ノズル孔が形成された押下ヘッドが装着されて、吐出器のステムから吐出された液状物を対象物に向けて確実に噴射することができるようになっている（例えば特許文献１参照）。
【先行技術文献】
【特許文献】
【０００３】
【特許文献１】特開２００８−８２１３号公報
【発明の概要】
【発明が解決しようとする課題】
【０００４】
ところで、このような押下ヘッドを有する吐出器では、押下ヘッドの噴出口を対象物に近づけて使用した場合や、乳液や塗り薬のような比較的粘性の高い液状物を噴出する場合には、液状物の噴射半径が狭くなるため、対象面に噴射した後に液状物を均一に塗り付けたり塗り広げたり、あるいはマッサージするといった塗布作業を行う場合がある。このような塗布作業は、従来では、指や他に用意した道具を使用したり、別の塗布部材を押下ヘッドに組付けたりして行っていたため、一体構造の部材で塗布作業を行えず、使い勝手がよいとはいえなかった。
【０００５】
それゆえこの発明は、対象物に噴射した液状物を塗り付けたり塗り広げたり、あるいはマッサージをするに際して、押下ヘッドと一体構造の塗布部材を使用できる押下ヘッド付き吐出器を提供することをその目的とする。
【課題を解決するための手段】
【０００６】
前記課題を解決するため、この発明の押下ヘッド付き吐出器は、上方付勢状態で押し込み可能にステムを起立した吐出器に装着されるとともに、内部に前記ステム内に連通するノズル孔を有する押下ヘッドと、該押下ヘッドに着脱自在に取り付けられるカバーとを備え、前記押下ヘッドは、前記ステムに装着される装着部を垂設する頂壁部と、前記頂壁部の外周縁部から下方に向けて延設されるとともに前記ノズル孔の一端を開口して噴出口を形成する周壁部と、前記頂壁部の外周縁部に沿って部分的に配置され、該外周縁部から上方に向けて一体に延設されたへら状の塗布具と、を備え、前記カバーは、前記塗布具の上方及び側方を覆う上壁部及び側壁部と、該側壁部の内面に設けられ、カバー装着時にて前記噴出口に対向して位置して該噴出口を密封する凸部と、該側壁部の下端部内面に設けられ、カバー装着時にて前記押下ヘッドの下端縁に当接して前記吐出器に対する該押下ヘッドの押し下げを阻止する突起と、を備えることを特徴とするものである。
【０００７】
なお、この発明の押下ヘッド付き吐出器にあっては、前記塗布具は、前記噴出口が配置された側である押下ヘッドの前方側に配置されることが好ましい。
【０００８】
また、この発明の押下ヘッド付き吐出器にあっては、前記塗布具は、その外周面に突起を有することが好ましい。
【０００９】
さらに、この発明の押下ヘッド付き吐出器にあっては、前記頂壁部の外面と、前記塗布具の内周面は、下方に凹の曲面にて連結されることが好ましい。
【発明の効果】
【００１３】
この発明の押下ヘッド付き吐出器によれば、押下ヘッドの頂壁部にへら状の塗布具が一体に設けられているので、塗布作業（マッサージを含む）を効率よく行い得て使い勝手がよい。また、部品点数も削減できる。
【図面の簡単な説明】
【００１４】
【図１】この発明の一実施形態の押下ヘッド付き吐出器を示しており、（ａ）は正面図、（ｂ）は側面図である。
【図２】図１（ａ）のＡ−Ａ断面図である。
【図３】この発明の押下ヘッド付き吐出器に装着されるカバーを示す斜視図である。
【図４】図３に示すカバーを適用した押下ヘッド付き吐出器を示す断面図である。
【発明を実施するための形態】
【００１５】
以下、図面を参照してこの発明をより具体的に説明する。ここに、図１は、この発明の一実施形態の押下ヘッド付き吐出器を示しており、（ａ）は正面図、（ｂ）は側面図であり、図２は、図１（ａ）のＡ−Ａ断面図である。
【００１６】
図１に示すように、押下ヘッド１は、上方付勢状態で押し込み可能にステム３（図２参照）を起立した吐出器５に装着されており、吐出器５は、容器７の口部７ａに固定されている。図２に詳細を示すように、吐出器５は、ここではポンプ式を採用し、容器７の口部７ａを通して充填空間Ｍの上部に吊り下げ保持されている。この吐出器５は、最下端に吸引口（図示省略）を有するシリンダ５ａと、このシリンダ５ａ内で上下にスライド可能で、容器７の口部７ａに着脱自在にねじ止めされた筒状のベースキャップ５ｂの貫通孔５ｃから露出させたステム３と、ステム３の内側に連結され、該ステム３とともにスライド可能なガイド５ｄと、このガイド５ｄ及びステム３の相互間でスライド代をもって配置され、該ガイド５ｄと協働して吐出弁を構成するピストン５ｅと、シリンダ５ａ内で上記吸引口の開閉を行うポペット（バルブ）５ｆを有する。また、ベースキャップ５ｂの上面５ｇには、押下ヘッド１の後述する周壁部１７との間に若干の隙間をもって上方に向けて延びるガイド壁５ｈが設けられ、押下ヘッド１の上下移動が安定して行えるようになっている。
【００１７】
なお、吐出器５の形態は、ステム３を押下げることにより容器７内の液状物がステム３より吐出するよう構成したものであれば採用でき、上述したポンプ構造を備えたものの他、エアゾールタイプのもの等（図示省略）も採用できる。
【００１８】
押下ヘッド１は、吐出器５のステム３に連通するノズル孔９を内部に有するものであり、ステム３に装着される筒状の装着部１１を垂設する頂壁部１３と、頂壁部１３の外周縁部から下方に向けて延設されるとともにノズル孔９の一端を開口して噴出口１５を形成する円筒状の周壁部１７と、を有する。また、頂壁部１３の外面１３ａは押下ヘッド１の押下操作時に指を掛ける指掛かり部となる部位であり、その外周縁部には上方に向けて延設されたへら状の塗布具１９が一体に成形されている。
【００１９】
塗布具１９は、外周縁部に沿って部分的に設けることとし、これにより押下ヘッド１を押し下げる際に指を頂壁部１３に導く空間部を押下ヘッド１の後方側（図２では右側）に形成している。ここでは塗布具１９は、噴出口１５が配置された側である押下ヘッド１の前方側（図２では左側）に配置されており、すなわち噴出口１５の上方に配置されている。また、塗布具１９はその先端形状が丸みを帯びた湾曲形状としている。塗布具１９の先端部域の前面（外周面）には、少なくとも１つ（ここでは５つ）のドーム状の突起２１が一体に設けられており、さらに塗布具１９の先端縁部にも上方に突出する複数の突起２３が設けられている。なおこれらの突起２１、２３の形状は図示例のものに限らず、種々の形状を採用でき、例えば突起２１、２３をゴム材料で形成するとともに先細り形状としてもよく、これによれば口述する突起２１、２３によるマッサージ効果を高めることが可能である。しかも、頂壁部１３の外面１３ａと、塗布具１９の背面（内周面）１９ａとは、下方に向けて凹となる曲面Ｒにて連結され、つまり屈折点を有することなく滑らかに連結されている。
【００２０】
かかる実施形態の押下ヘッド１によれば、押下ヘッド１の頂壁部１３にへら状の塗布具１９が一体に設けられているので、対象物に噴射した後、液状物を塗り付けたり塗り広げたり、あるいはマッサージをするに際して、効率的に行い得て使い勝手がよい。また、部品点数も削減できる。
【００２１】
また、塗布具１９が、噴出口１５が配置された側である押下ヘッド１の前方側に配置されているため、押下ヘッド１を操作したときの姿勢のままで塗布することができ、より自然な姿勢でかつ容易に塗布作業が行えるようになる。さらに、塗布具１９の先端部域の前面には、突起２１が一体に設けられており、塗布具１９の先端縁部にも上方に突出する突起２３が設けられていることから、特に育毛剤などを頭皮に噴射した後のマッサージも有利に行えるようになる。しかも、頂壁部１３の外面１３ａと塗布具１９の背面１９ａとが、下方に凹の曲面Ｒにて連結されているので、頂壁部１３の外面１３ａ及び塗布具１９の背面１９ａと指との接触面積が増えてより安定して押下ヘッド１の押下操作や塗布具１９による塗布作業を行うことが可能となる。
【００２２】
図３は、この発明の押下ヘッド付き吐出器に好適に用いることができるカバーを示す斜視図であり、図４は、図３のカバーを適用した押下ヘッド付き吐出器を示す断面図である。
【００２３】
図３に示すカバー２５は、上壁部２７と側壁部２９とを有するとともに、側壁部２９の後方部が大きく切り欠かれており、これにより押下ヘッド１を備えた吐出器５に前方（図４の左側）から着脱自在に装着できる。また、側壁部２９の下端部の両側縁には、カバー２５の装着時にベースキャップ５ｂのガイド壁５ｈの外周を覆ってカバー２５の脱落を防止する囲い壁３０をそれぞれ設けている。したがって、カバー２５を装着する際には、囲い壁３０を若干外側に押し広げた状態にて押下ヘッド付き吐出器５に横（前方）から被せるようにする。カバー２５の下端縁は、カバー装着時に吐出器５に当接することが好ましく、これによれば、カバー２５上部内面と押下ヘッド１の先端縁部との間に隙間を形成、保持でき、ここでは該下端縁は吐出器５のベースキャップ５ｂの上面５ｇに当接するよう構成されている。また、カバー２５は、その内面に、カバー装着時にて押下ヘッド１の噴出口１５に対向して位置して該噴出口１５を密封する凸部３１を有する。
【００２４】
このようなカバー２５を用いることにより、塗布具１９を用いた塗布作業後に液状物が塗布具１９に付着していてもカバー２５で押下ヘッド１全体を覆うことができ、塗布具１９に付着した液状物が他の物に付くことがないので携帯するのに便利であり、また塗布具１９に埃等が付着するおそれもない。また、押下ヘッド１のノズル孔９内に液状物が残留している場合であっても、カバー２５の凸部３１によって噴出口１５が密封されていることから、これが外部に漏れ出すおそれもない。
【００２５】
また、カバー２５は、その下端部内面に、カバー装着時にて押下ヘッド１の下端縁１ａに当接して吐出器５に対する該押下ヘッド１の押し下げを阻止するリブ状の突起３３を少なくとも１つ（ここでは３つ）有する。これにより、誤って押下ヘッド１を操作した場合であっても液状物が噴出するおそれがない。また、これらの突起３３を吐出器５のベースキャップ５ｂの上面５ｇと押下ヘッド１の下端縁との間に挟持させることによって、カバー２５の脱落をより一層防止することができる。なお、突起３３に代えて囲い壁３０の径を図示のものよりも小さくし、囲い壁３０を押下ヘッド１の下端縁１ａとベースキャップ５ｂの上面５ｇとの間に嵌め込むことにより、押下ヘッド１の押し下げを阻止するようにしてもよい。
【産業上の利用可能性】
【００２６】
かくしてこの発明により、対象物に噴射した液状物を塗り付けたり塗り広げたり、あるいはマッサージをするに際して、押下ヘッドと一体構造の塗布部材を使用できる押下ヘッド付き吐出器が提供される。
【符号の説明】
【００２７】
１  押下ヘッド
３  ステム
５  吐出器
７  容器
９  ノズル孔
１１  装着部
１３  頂壁部
１５  噴出口
１７  周壁部
１９  塗布具
２１、２３  突起
２５  カバー
３０  囲い壁
３１  凸部
３３  リブ状の突起
【図１】
0005483414.tif 000002
【図２】
0005483414.tif 000003
【図３】
0005483414.tif 000004
【図４】
0005483414.tif 000005